(57)【要約】【課題】種々の形状の取付け工具に対応することができ、作業性を向上できるとともに、簡易な構造で部品点数を抑え、軽量化および低コスト化を実現でき、取付け作業を容易に行うことができる携帯に便利な止め輪ホルダーを提供する。【解決手段】止め輪９が貫通された状態で互いに重なり合う状態に装着される装着部２０を有する保持軸２と、保持軸２に平行に延設され、止め輪９の左右の抱持片９１、９１先端を当止して止め輪９の回転を規制する当止部３０を有する規制部材３と、保持軸２に装着された圧縮コイルばね４０の弾性復元力で複数の止め輪９を軸方向に付勢する付勢手段４と、付勢された止め輪９を当止する当止壁５０を有する当止部材５とを備え、保持軸２の端部２ａの端面から軸方向に沿った止め輪一つの厚み分の長さ領域に、止め輪の左右の抱持片間の最小離間距離よりも小さいか或いは略同じ寸法の幅を有する幅狭部２１が設けられる。【選択図】図１
2018140473.tif 000002
【特許請求の範囲】
【請求項１】
軸体にラジアル方向から取り付けられる止め輪を、該止め輪の外周部を挟持して軸体への取り付けを行うための取付け工具を用いて１つずつ取り出し可能な状態に複数保持する止め輪ホルダーであって、
複数の止め輪が各々貫通された状態で、かつ互いに重なり合う状態に装着される装着部を有する保持軸と、
前記保持軸に対して平行に延設され、保持軸に装着される各止め輪の左右の抱持片先端を当止することで各止め輪の回転を規制し、各止め輪の方向を揃える当止部を有する規制部材と、
前記保持軸に装着された圧縮コイルばねの弾性復元力により、前記装着部に装着される複数の止め輪を軸方向に付勢する付勢手段と、
前記保持軸の前記付勢手段による付勢方向の端部に対面するように設けられ、付勢された止め輪を前記端部の位置で当止する当止壁を有する当止部材とを備え、
前記保持軸の前記端部の端面から軸方向に沿った止め輪一つの厚み分の長さ領域に、止め輪の左右の抱持片間の最小離間距離よりも小さいか或いは略同じ寸法の幅を有する幅狭部が設けられており、
前記幅狭部に位置する最端の止め輪が取付け工具により保持軸から取り出し可能とされ、かつ、最端の止め輪が取り出されると、前記保持軸に装着されている残りの止め輪が前記付勢手段により止め輪一つ分だけ付勢方向に移動し、常に最端の止め輪が前記幅狭部を通じて前記取付け工具により保持軸から取り出し可能とされる止め輪ホルダー。
【請求項２】
前記当止壁の前記保持軸に対面する壁面に、取付け工具の前記止め輪の外周部を挟持する左右一対の挟持片を案内する案内溝が設けられるとともに、該案内溝の深さが、前記挟持片の内側の挟持面に形成された前記止め輪の外周部が係合される凹溝の前後一方の肉厚と略同じに設定されており、これにより前記取付け工具を、前記挟持片の前記前後一方の側の面を前記案内溝の底面に沿わせつつ前記最端の止め輪に押し当てると、該止め輪の外周部が前記凹溝内に嵌まり込み、該止め輪が挟持される請求項１記載の止め輪ホルダー。
【請求項３】
前記幅狭部が、止め輪の左右の抱持片間の最小離間距離よりも小さいか或いは略同じ寸法の外径を有する小径部である請求項１又は２記載の止め輪ホルダー。
【請求項４】
前記付勢手段が、前記圧縮コイルばねと、前記保持軸の前記圧縮コイルばねと止め輪との間に介装される筒状の押圧部材とより構成され、
前記押圧部材の外周部に、所定の回転角度範囲で前記規制部材に形成された係止溝に係合可能な突片が設けられ、
前記係止溝は、前記押圧部材が保持軸の装着部より退避する位置まで前記圧縮コイルばねの付勢力に抗して移動した位置で前記突片と係合可能な、長さ方向所定の位置に形成され、
前記突片を前記係止溝に係合させることで、装着部に装着される止め輪への付勢力が解除され、該装着部に止め輪を装着可能とした請求項１〜３の何れか１項に記載の止め輪ホルダー。
【請求項５】
前記規制部材が、基端部に前記保持軸の方向に延びて該保持軸の基端側を支持する支持部が設けられた側面視略Ｌ字状の部材であり、
前記当止部材の左右側壁から前記規制部材の基端部に向けて一対の支持片が延設され、
該支持片の先端部間に前記規制部材の基端部が枢支され、前記規制部材および保持軸が一体的に、前記当止部材および支持片に対して傾動可能に支持され、
前記傾動により保持軸の先端を当止部材の当止壁から離すことで、該先端から前記装着部に止め輪を装着可能とした請求項１〜４の何れか１項に記載の止め輪ホルダー。
【請求項６】
前記規制部材の保持軸の軸方向に沿った途中位置の左右少なくとも一方の側面に突出方向に付勢された位置決めピンを出没可能に設けるとともに、対応する前記支持片に位置決めピンが係入する係合穴を設け、これら位置決めピンと係合穴は、前記係入した状態で前記保持軸の先端が当止部材の当止壁に対面することとなる位置にそれぞれ設けられる請求項５記載の止め輪ホルダー。
【発明の詳細な説明】
【技術分野】
【０００１】
本発明は、軸体に対してラジアル方向から取り付けられるＥ形止め輪（Ｅリング）などの止め輪を複数保持でき、取付け工具を用いて一つずつ取り出すことができる止め輪ホルダーに関する。
【背景技術】
【０００２】
従来、このような止め輪ホルダーとしては、非特許文献１のような卓上のスタンド「ＥＴスタンド」が知られている。しかし、複雑なプラント内など卓上タイプのスタンドを置く場所もなく、離れた複数の箇所で止め輪を取り付ける作業を行うような場合、携帯可能な止め輪ホルダーが求められる。
【０００３】
また、携帯できるタイプのものとして、取付け工具と一体化した複雑な構造の止め輪ホルダーも提案されている（特許文献１、２参照）。しかし、上記プラントなどでは狭く作業しにくい場所も多々あり、取付け場所に応じて種々の形状（先端がストレートのものや屈曲したもの等）の取付け工具を選択して使用する必要があるが、上記特許文献１、２のように止め輪ホルダーと取付け工具が一体化したものでは、上記のように種々の形状の取付け工具を選択して用いることができないばかりか、重量も重く、特に狭い箇所では作業性に問題が生じる可能性がある。また、複雑な構造で部品点数も多く、コスト高となる。
【先行技術文献】
【特許文献】
【０００４】
【特許文献１】特開平５−６９３４４号公報
【特許文献２】特開平７−１１２３７５号公報
【非特許文献】
【０００５】
【非特許文献１】山辺デジタルパーツプラットフォーム、“Ｅ形止め輪取り付け工具”、[online]、２００２年、[平成２９年２月２７日検索]、インターネット〈http://www.110.ne.jp/nejitech/tools_004.html〉
【発明の概要】
【発明が解決しようとする課題】
【０００６】
そこで、本発明が前述の状況に鑑み、解決しようとするところは、種々の形状の取付け工具に対応することができ、作業性を向上できるとともに、簡易な構造で部品点数を抑え、軽量化および低コスト化を実現でき、作業者が一方の手で止め輪ホルダーを持ち、他方の手で取付け工具を持って止め輪の取り出し、取付け作業を容易に行うことが可能な、携帯に便利な止め輪ホルダーを実現する点にある。
【課題を解決するための手段】
【０００７】
本発明は、以下の発明を包含する。
（１）    軸体にラジアル方向から取り付けられる止め輪を、該止め輪の外周部を挟持して軸体への取り付けを行うための取付け工具を用いて１つずつ取り出し可能な状態に複数保持する止め輪ホルダーであって、複数の止め輪が各々貫通された状態で、かつ互いに重なり合う状態に装着される装着部を有する保持軸と、前記保持軸に対して平行に延設され、保持軸に装着される各止め輪の左右の抱持片先端を当止することで各止め輪の回転を規制し、各止め輪の方向を揃える当止部を有する規制部材と、前記保持軸に装着された圧縮コイルばねの弾性復元力により、前記装着部に装着される複数の止め輪を軸方向に付勢する付勢手段と、前記保持軸の前記付勢手段による付勢方向の端部に対面するように設けられ、付勢された止め輪を前記端部の位置で当止する当止壁を有する当止部材とを備え、前記保持軸の前記端部の端面から軸方向に沿った止め輪一つの厚み分の長さ領域に、止め輪の左右の抱持片間の最小離間距離よりも小さいか或いは略同じ寸法の幅を有する幅狭部が設けられており、前記幅狭部に位置する最端の止め輪が取付け工具により保持軸から取り出し可能とされ、かつ、最端の止め輪が取り出されると、前記保持軸に装着されている残りの止め輪が前記付勢手段により止め輪一つ分だけ付勢方向に移動し、常に最端の止め輪が前記幅狭部を通じて前記取付け工具により保持軸から取り出し可能とされる止め輪ホルダー。
【０００８】
（２）  前記当止壁の前記保持軸に対面する壁面に、取付け工具の前記止め輪の外周部を挟持する左右一対の挟持片を案内する案内溝が設けられるとともに、該案内溝の深さが、前記挟持片の内側の挟持面に形成された前記止め輪の外周部が係合される凹溝の前後一方の肉厚と略同じに設定されており、これにより前記取付け工具を、前記挟持片の前記前後一方の側の面を前記案内溝の底面に沿わせつつ前記最端の止め輪に押し当てると、該止め輪の外周部が前記凹溝内に嵌まり込み、該止め輪が挟持される（１）記載の止め輪ホルダー。
【０００９】
（３）  前記幅狭部が、止め輪の左右の抱持片間の最小離間距離よりも小さいか或いは略同じ寸法の外径を有する小径部である（１）又は（２）記載の止め輪ホルダー。
【００１０】
（４）  前記付勢手段が、前記圧縮コイルばねと、前記保持軸の前記圧縮コイルばねと止め輪との間に介装される筒状の押圧部材とより構成され、前記押圧部材の外周部に、所定の回転角度範囲で前記規制部材に形成された係止溝に係合可能な突片が設けられ、前記係止溝は、前記押圧部材が保持軸の装着部より退避する位置まで前記圧縮コイルばねの付勢力に抗して移動した位置で前記突片と係合可能な、長さ方向所定の位置に形成され、前記突片を前記係止溝に係合させることで、装着部に装着される止め輪への付勢力が解除され、該装着部に止め輪を装着可能とした（１）〜（３）の何れかに記載の止め輪ホルダー。
【００１１】
（５）  前記規制部材が、基端部に前記保持軸の方向に延びて該保持軸の基端側を支持する支持部が設けられた側面視略Ｌ字状の部材であり、前記当止部材の左右側壁から前記規制部材の基端部に向けて一対の支持片が延設され、該支持片の先端部間に前記規制部材の基端部が枢支され、前記規制部材および保持軸が一体的に、前記当止部材および支持片に対して傾動可能に支持され、前記傾動により保持軸の先端を当止部材の当止壁から離すことで、該先端から前記装着部に止め輪を装着可能とした（１）〜（４）の何れかに記載の止め輪ホルダー。
【００１２】
（６）  前記規制部材の保持軸の軸方向に沿った途中位置の左右少なくとも一方の側面に突出方向に付勢された位置決めピンを出没可能に設けるとともに、対応する前記支持片に位置決めピンが係入する係合穴を設け、これら位置決めピンと係合穴は、前記係入した状態で前記保持軸の先端が当止部材の当止壁に対面することとなる位置にそれぞれ設けられる（５）記載の止め輪ホルダー。
【発明の効果】
【００１３】
以上にしてなる本願発明に係る止め輪ホルダーによれば、保持軸、規制部材、付勢手段及び当止部材からなる簡易な構造で実現でき、部品点数を抑え、軽量化および低コスト化を実現できる。また、幅狭部に位置する取り出し可能な止め輪は付勢手段により他の止め輪とともに当止部材に押圧されているため、携帯して持ち運んでいる最中や片手で持って作業している最中も脱落することなく安定保持でき、携帯に便利かつ容易に作業を行うことができる。
【００１４】
また、取付け工具が一体化されておらず、止め輪を取り付ける場所に応じた最適な形状の取付け工具を選択して、本止め輪ホルダーから止め輪を取り出すことができる。したがって、作業性が向上するとともに、作業者は一方の手で本発明にかかる止め輪ホルダーを持ち、他方の手で取付け工具を持って止め輪の取り出し、取付け作業を容易に行うことが可能となる。
【００１５】
また、当止壁の壁面に取付け工具を案内する案内溝が設けられ、取付け工具を挟持片の前後一方の側の面を案内溝の底面に沿わせつつ最端の止め輪に押し当てると、該止め輪の外周部が前記凹溝内に嵌まり込み、該止め輪が挟持されるので、操作が簡単であり、従来提案されているような取付け工具とホルダーを一体化した構造でなくても、作業者は一方の手で本発明にかかる止め輪ホルダーを持ち、他方の手で取付け工具を持って止め輪を容易かつ確実に取り出すことができる。
【００１６】
また、幅狭部は止め輪の左右の抱持片間の最小離間距離よりも小さいか或いは略同じ寸法の外径を有する小径部であり、該幅狭部に位置する止め輪を抵抗なく容易かつ確実に取り出すことができる。これは付勢手段で当該幅狭部に位置する止め輪を押圧し、携帯中も脱落を防止できる構造としたことから可能となる構造である。
【００１７】
また、付勢手段が、圧縮コイルばねと、保持軸の前記圧縮コイルばねと止め輪との間に介装される筒状の押圧部材とより構成され、前記押圧部材の外周部に、所定の回転角度範囲で前記規制部材に形成された係止溝に係合可能な突片が設けられ、係止溝は、前記押圧部材が保持軸の装着部より退避する位置まで前記圧縮コイルばねの付勢力に抗して移動した位置で前記突片と係合可能な、長さ方向所定の位置に形成されるので、前記突片を前記係止溝に係合させることで、装着部に装着される止め輪への付勢力が解除され、該装着部に止め輪を装着することができる。このように押圧部材の突片と規制部材の係止溝で付勢力を解除する構造を実現し、簡易な構造で止め輪の補充構造を実現できる。
【００１８】
また、前記規制部材が、基端部に前記保持軸の方向に延びて該保持軸の基端側を支持する支持部が設けられた側面視略Ｌ字状の部材であり、前記当止部材の左右側壁から前記規制部材の基端部に向けて一対の支持片が延設され、支持片の先端部間に前記規制部材の基端部が枢支され、前記規制部材および保持軸が一体的に、前記当止部材および支持片に対して傾動可能に支持されたものでは、傾動により保持軸の先端を当止部材の当止壁から離し、該先端から前記装着部に止め輪を容易に補充装着させることができる。
【図面の簡単な説明】
【００１９】
【図１】本発明の代表的実施形態にかかる止め輪ホルダーを示す斜視図。
【図２】同じく止め輪ホルダーの規制部材と保持軸を一体的に傾動させ、止め輪を補充する様子を示す斜視図。
【図３】（ａ）は同じく止め輪ホルダーの平面図、（ｂ）は側面図。
【図４】（ａ）は図３（ａ）のＡ−Ａ断面図、（ｂ）は図３（ｂ）のＢ−Ｂ断面図。
【図５】同じく止め輪ホルダーの規制部材と保持軸を一体的に傾動させた状態を示す側面図。
【図６】同じく止め輪ホルダーから取付け工具を用いて止め輪を取り出す様子を説明する、軸方向から当止壁をみた説明図。
【図７】同じく止め輪ホルダーから取付け工具を用いて止め輪を取り出す様子を説明する、上方から保持軸の先端部をみた要部の説明図。
【発明を実施するための形態】
【００２０】
次に、本発明の実施形態を添付図面に基づき詳細に説明する。
【００２１】
本発明に係る止め輪ホルダー１は、軸体にラジアル方向から取り付けられる止め輪９を複数保持するホルダーであり、図６に示すように止め輪９の外周部９０を挟持して軸体への取り付けを行うための取付け工具８を用いて１つずつ取り出し可能な状態に保持するものである。止め輪９は、図示したものはＥ形止め輪（Ｅリング）であるが、これ以外に、例えば公知の弓Ｅ形止め輪、クリセント形止め輪、Ｕ形止め輪、Ｋ形止め輪などの公知のラジアル方向取付けタイプの止め輪やその他の略Ｃ字状の止め輪を好適に用いることができる。
【００２２】
また、取付け工具８は、止め輪９の種類に応じて適したものを用いることができ、例えば上述の非特許文献１に記載された取付け工具「ＥＴホルダー」を用いることができる。この取付け工具は、図６に示すように先端に止め輪の外周部を挟持する左右一対の挟持片８１、８１を備え、挟持片８１の内側の挟持面には止め輪に外周部が係合される凹溝８２が形成されている。このような取付け工具であれば、上記「ＥＴホルダー」以外のものも使用できる。
【００２３】
止め輪ホルダー１は、具体的には、図１〜図４に示すように、複数の止め輪９が各々貫通された状態で、かつ互いに重なり合う状態に装着される装着部２０を有する保持軸２と、保持軸２に対して平行に延設され、保持軸２に装着される各止め輪９の左右の抱持片９１、９１先端を当止することで各止め輪９の回転を規制し、各止め輪９の方向を揃える当止部３０を有する規制部材３と、保持軸２に装着された圧縮コイルばね４０の弾性復元力により、前記装着部２０に装着される複数の止め輪９を軸方向に付勢する付勢手段４と、保持軸２の前記付勢手段４による付勢方向の端部２ａに対面するように設けられ、付勢された止め輪９を前記端部２ａの位置で当止する当止壁５０を有する当止部材５とを備えている。
【００２４】
保持軸２は、真直な円柱部材で構成され、金属製とされることが好ましいが、合成樹脂その他の素材または２以上の素材の組み合わせより構成されることも可能である。保持軸２は、後述する規制部材３の支持部３１により片持ち支持され、当該支持部３１で支持される基端側に圧縮コイルばね４０よりなる付勢手段４が、先端側の装着部２０に複数の止め輪９が、それぞれ装着される。保持軸２の装着部２０の外径寸法は、先端部２ａの後述の幅狭部２１を除いて止め輪９の内径寸法と略同じに設定され、装着された止め輪９が外れないように構成されている。
【００２５】
保持軸２の端部２ａの端面から軸方向に沿った止め輪一つの厚み分の長さ領域には、止め輪９の左右の抱持片間の最小離間距離ｈよりも小さいか或いは略同じ寸法を有する幅狭部２１が設けられている。これにより、図６に示すように、幅狭部２１に位置する最端の止め輪９が取付け工具８により保持軸２から取り出し可能とされ、最端の止め輪９が取り出されると、保持軸２に装着されている残りの止め輪９が付勢手段４により止め輪一つ分だけ付勢方向（先端側）に移動する。このように、常に最端の止め輪が幅狭部２１を通じて取付け工具８により保持軸２から取り出し可能とされ、保持軸２に装着された複数の止め輪９は、先端側から順次取り出される。幅狭部２１は、本例では止め輪９の左右の抱持片間の最小離間距離ｈよりも小さいか或いは略同じの外径を有する小径部であるが、左右に一対の切欠き部を設けて構成することなど、種々の構成が可能である。
【００２６】
規制部材３は、図１、図２、図４および図５に示すように、当止部３０を有する保持軸２に平行に延びる板状の本体部３２と、該本体部３２の基端側から保持軸２の方向（保持軸２に直交する方向）に延びて該保持軸２の基端部２ｂを支持する同じく板状の支持部３１とより側面視略Ｌ字状に構成されている。素材は金属、合成樹脂、その他の素材または組み合わせより構成できる。本例では本体部３２と支持部３１とが一体的に形成されているが、各々別体で構成して組みつけたものでもよい。
【００２７】
支持部３１には、保持軸２の基端部２ｂが挿着される取付け穴３３が設けられるとともに、支持部３１の外面から取付け穴３３の内部に連通するねじ穴３４が設けられている。保持軸の基端部２ｂの前記ねじ穴３４に対応する位置には、外周面を平らに切り欠いた凹溝２ｃが形成（平取り）されており、ねじ穴３４に止めねじ６１をねじ込み、取付け穴３３に挿通された保持軸２の前記凹溝２ｃの底面に当止させることで、保持軸２が支持部３１内に離脱不能に固定される。本例ではこのように止めねじ６１を用いて保持軸２が支持部３１に固定されているが、これに何ら限定されず、接着剤等、種々の固定手段を採りえる。
【００２８】
当止部３０は、本体部３２の保持軸２に対面する面（本例では上面）で構成されている。この当止部３０として機能する面が保持軸２に平行に形成されている。保持軸２に装着された止め輪９は左右の抱持片９１、９１先端が前記面に当たることで回転規制された状態で、付勢手段４のばね付勢により軸方向に移動するように構成されている。本体部３２の前記当止部３０に連続する上面の所定位置には、後述する付勢手段４の押圧部材４１の突片４２が係入する係止溝３５が軸方向所定の位置に設けられている。
【００２９】
付勢手段４は、圧縮コイルばね４０と、保持軸２の圧縮コイルばね４０と止め輪９との間に介装される筒状の押圧部材４１とより構成されている。押圧部材４１は、所定の回転角度範囲で規制部材３の本体部３２に形成された上記係止溝３５に係合可能な突片４２が外周部に設けられている。押圧部材４１の素材は金属、合成樹脂、その他の素材または組み合わせより構成できる。この突片４２に係合する規制部材３の係止溝３５は、押圧部材４１が保持軸２の装着部２０より退避する位置まで圧縮コイルばね４０の付勢力に抗して移動した位置で、前記突片４２と係合可能な所定位置に形成されている。これにより、突片４２を係止溝３５に係合させることで、図２及び図５に示すように装着部２０に装着される止め輪９への付勢力が解除され、保持軸２の装着部２０に対し、止め輪９が装着可能となる。
【００３０】
突片４２は、本例では、円環状の板部の外周部分を一部真っ直ぐに切り欠いた形状に構成されており、回転により当該切欠き部４２ａを上記規制部材３の当止部３０に向け、当止部３０の上面に対し平行になる角度位置にすることで、係止溝３５との係合が解除され、止め輪９と同様、当止部３０に回転規制されながら保持軸２の軸方向に移動可能となる。また、係止溝３５の位置にて回転させ、切欠き部４２ａを上記位置からずれた角度の位置にすることで、突片４２が係止溝３５に係入して係合状態となる。本例では上記切欠き部４２ａを有する環状の板部で構成したが、環状ではなく部分的に係止溝３５に係入する突出部を設けたものでもよい。
【００３１】
当止壁５０の前記保持軸２に対面する壁面には、取付け工具の止め輪９の外周部を挟持する左右一対の挟持片８１を案内する案内溝５１が設けられている。案内溝５１の深さは、挟持片８１の内側の挟持面に形成された止め輪の外周部が係合される凹溝８２の前後一方の肉厚と略同じに設定されている。これにより、図６に示すように、前記取付け工具８を、挟持片８１の前記前後一方の側の面８３を前記案内溝５１の底面に沿わせつつ前記最端の止め輪９Ａ（９）に押し当てると、該止め輪９Ａの外周部が前記凹溝内に嵌まり込み、該止め輪が挟持される。さらに取付け工具８を引き抜くことで止め輪９Ａを挟持した状態で取り出すことができ、そのまま取付け工具８を用いて軸体に止め輪を取り付けることができる。
【００３２】
当止部材５の左右側壁から規制部材３の基端部３ｂに向けて、一対の支持片５２，５２が延設されている。本例では平面視略Ｌ字状の板材が取付けねじ６２、６３を用いて当止部材５の左右側壁に支持されたものであるが、これに何ら限定されるものではない。そして、この一対の支持片の先端部５２ａ，５２ａの間に、規制部材３の基端部３ｂが枢支されている。具体的には、先端部５２ａ側から基端部３ｂのねじ穴に対し、環状の摺動部材６５を介してねじ６４を螺合し、このねじ６４及び摺動部材６５を枢軸として傾動可能に支持されている。
【００３３】
このように、規制部材３および保持軸２は、当止部材５および支持片５２に対して、一体的に傾動可能に支持されており、図２及び図５に示すように、規制部材３及び保持軸２を傾動させて保持軸の先端部２ａを当止部材の当止壁５０から離すことで、該先端部２ａから新たな止め輪９を装着部２０に補充できるように構成されている。
【００３４】
規制部材３の保持軸２の軸方向に沿った途中位置の左右少なくとも一方の側面には、位置決めピン３６が突出方向に付勢された状態で出没可能に設けられており、また支持片５２の前記位置決めピン３６に対応する位置には、位置決めピン３６が係入する係合穴５２０が設けられている。位置決めピン３６は、図４（ｂ）に示すように規制部材３の本体部３２に形成された穴に内蔵された圧縮コイルばね３７により付勢されており、コイルばね３７の付勢力に抗してピン先端を穴内に押し込むことで係合穴５２０との係合状態を解除することができる。
【００３５】
位置決めピン３６および係合穴５２０は、前記係入した状態で保持軸２の先端が当止部材５の当止壁５０に対面することとなる位置にそれぞれ設けられ、取付け工具８で止め輪９Ａを取り出すことができる通常姿勢で上記位置決めピン３６と係合穴５２０が係合し、規制部材３および保持軸２が当止部材５および支持片５２に対して傾動することなく、安定した位置決めがされるように構成されている。
【００３６】
また、同じく規制部材３の保持軸２の軸方向に沿った途中位置の左右少なくとも一方の側面には、支持片５２に形成された枢軸を中心とした所定角度範囲の円弧状の湾曲溝５２１に係入する回転規制ピン３８が突設されており、上記規制部材３の支持片５２に対する傾動の範囲が所定の角度範囲に規制されている。
【００３７】
以上、本発明の実施形態について説明したが、本発明はこうした実施例に何ら限定されるものではなく、本発明の要旨を逸脱しない範囲において種々なる形態で実施し得ることは勿論である。
【符号の説明】
【００３８】
１  止め輪ホルダー
２  保持軸
２ａ，２ｂ  端部
２ｃ  凹溝
３  規制部材
３ｂ  端部
４  付勢手段
５  当止部材
８  取付け工具
９，９Ａ  止め輪
２０  装着部
２１  幅狭部
３０  当止部
３１  支持部
３２  本体部
３３  取付け穴
３４  ねじ穴
３５  係止溝
３６  位置決めピン
３７  コイルばね
３８  回転規制ピン
４０  コイルばね
４１  押圧部材
４２  突片
４２ａ  切欠き部
５０  当止壁
５１  案内溝
５２  支持片
５２ａ  端部
５２０  係合穴
５２１  湾曲溝
６１  止めねじ
６２、６３  取付けねじ
６４  軸ねじ
６５  摺動部材
８１  挟持片
８２  凹溝
８３  面
９０  外周部
９１  抱持片
ｈ  距離
【図１】
2018140473.tif 000003
【図２】
2018140473.tif 000004
【図３】
2018140473.tif 000005
【図４】
2018140473.tif 000006
【図５】
2018140473.tif 000007
【図６】
2018140473.tif 000008
【図７】
2018140473.tif 000009
【手続補正書】
【提出日】平成29年8月3日(2017.8.3)
【手続補正１】
【補正対象書類名】特許請求の範囲
【補正対象項目名】全文
【補正方法】変更
【補正の内容】
【特許請求の範囲】
【請求項１】
軸体にラジアル方向から取り付けられる止め輪を、該止め輪の外周部を挟持して軸体への取り付けを行うための取付け工具を用いて１つずつ取り出し可能な状態に複数保持する止め輪ホルダーであって、
複数の止め輪が各々貫通された状態で、かつ互いに重なり合う状態に装着される装着部を有する保持軸と、
前記保持軸に対して平行に延設され、保持軸に装着される各止め輪の左右の抱持片先端を当止することで各止め輪の回転を規制し、各止め輪の方向を揃える当止部を有する規制部材と、
前記保持軸に装着された圧縮コイルばねの弾性復元力により、前記装着部に装着される複数の止め輪を軸方向に付勢する付勢手段と、
前記保持軸の前記付勢手段による付勢方向の端部に対面するように設けられ、付勢された止め輪を前記端部の位置で当止する当止壁を有する当止部材とを備え、
前記保持軸の前記端部の端面から軸方向に沿った止め輪一つの厚み分の長さ領域に、止め輪の左右の抱持片間の最小離間距離よりも小さいか或いは略同じ寸法の幅を有する幅狭部が設けられており、
前記幅狭部に位置する最端の止め輪が取付け工具により保持軸から取り出し可能とされ、かつ、最端の止め輪が取り出されると、前記保持軸に装着されている残りの止め輪が前記付勢手段により止め輪一つ分だけ付勢方向に移動し、常に最端の止め輪が前記幅狭部を通じて前記取付け工具により保持軸から取り出し可能とされる止め輪ホルダーであり、
前記当止壁の前記保持軸に対面する壁面に、取付け工具の前記止め輪の外周部を挟持する左右一対の挟持片を案内する案内溝が設けられるとともに、該案内溝の深さが、前記挟持片の内側の挟持面に形成された前記止め輪の外周部が係合される凹溝の前後一方の肉厚と略同じに設定されており、これにより前記取付け工具を、前記挟持片の前記前後一方の側の面を前記案内溝の底面に沿わせつつ前記最端の止め輪に押し当てると、該止め輪の外周部が前記凹溝内に嵌まり込み、該止め輪が挟持される止め輪ホルダー。
【請求項２】
前記幅狭部が、止め輪の左右の抱持片間の最小離間距離よりも小さいか或いは略同じ寸法の外径を有する小径部である請求項１記載の止め輪ホルダー。
【請求項３】
軸体にラジアル方向から取り付けられる止め輪を、該止め輪の外周部を挟持して軸体への取り付けを行うための取付け工具を用いて１つずつ取り出し可能な状態に複数保持する止め輪ホルダーであって、
複数の止め輪が各々貫通された状態で、かつ互いに重なり合う状態に装着される装着部を有する保持軸と、
前記保持軸に対して平行に延設され、保持軸に装着される各止め輪の左右の抱持片先端を当止することで各止め輪の回転を規制し、各止め輪の方向を揃える当止部を有する規制部材と、
前記保持軸に装着された圧縮コイルばねの弾性復元力により、前記装着部に装着される複数の止め輪を軸方向に付勢する付勢手段と、
前記保持軸の前記付勢手段による付勢方向の端部に対面するように設けられ、付勢された止め輪を前記端部の位置で当止する当止壁を有する当止部材とを備え、
前記保持軸の前記端部の端面から軸方向に沿った止め輪一つの厚み分の長さ領域に、止め輪の左右の抱持片間の最小離間距離よりも小さいか或いは略同じ寸法の幅を有する幅狭部が設けられており、
前記幅狭部に位置する最端の止め輪が取付け工具により保持軸から取り出し可能とされ、かつ、最端の止め輪が取り出されると、前記保持軸に装着されている残りの止め輪が前記付勢手段により止め輪一つ分だけ付勢方向に移動し、常に最端の止め輪が前記幅狭部を通じて前記取付け工具により保持軸から取り出し可能とされる止め輪ホルダーであり、
前記付勢手段が、前記圧縮コイルばねと、前記保持軸の前記圧縮コイルばねと止め輪との間に介装される筒状の押圧部材とより構成され、
前記押圧部材の外周部に、所定の回転角度範囲で前記規制部材に形成された係止溝に係合可能な突片が設けられ、
前記係止溝は、前記押圧部材が保持軸の装着部より退避する位置まで前記圧縮コイルばねの付勢力に抗して移動した位置で前記突片と係合可能な、長さ方向所定の位置に形成され、
前記突片を前記係止溝に係合させることで、装着部に装着される止め輪への付勢力が解除され、該装着部に止め輪を装着可能とした止め輪ホルダー。
【請求項４】
軸体にラジアル方向から取り付けられる止め輪を、該止め輪の外周部を挟持して軸体への取り付けを行うための取付け工具を用いて１つずつ取り出し可能な状態に複数保持する止め輪ホルダーであって、
複数の止め輪が各々貫通された状態で、かつ互いに重なり合う状態に装着される装着部を有する保持軸と、
前記保持軸に対して平行に延設され、保持軸に装着される各止め輪の左右の抱持片先端を当止することで各止め輪の回転を規制し、各止め輪の方向を揃える当止部を有する規制部材と、
前記保持軸に装着された圧縮コイルばねの弾性復元力により、前記装着部に装着される複数の止め輪を軸方向に付勢する付勢手段と、
前記保持軸の前記付勢手段による付勢方向の端部に対面するように設けられ、付勢された止め輪を前記端部の位置で当止する当止壁を有する当止部材とを備え、
前記保持軸の前記端部の端面から軸方向に沿った止め輪一つの厚み分の長さ領域に、止め輪の左右の抱持片間の最小離間距離よりも小さいか或いは略同じ寸法の幅を有する幅狭部が設けられており、
前記幅狭部に位置する最端の止め輪が取付け工具により保持軸から取り出し可能とされ、かつ、最端の止め輪が取り出されると、前記保持軸に装着されている残りの止め輪が前記付勢手段により止め輪一つ分だけ付勢方向に移動し、常に最端の止め輪が前記幅狭部を通じて前記取付け工具により保持軸から取り出し可能とされる止め輪ホルダーであり、
前記規制部材が、基端部に前記保持軸の方向に延びて該保持軸の基端側を支持する支持部が設けられた側面視略Ｌ字状の部材であり、
前記当止部材の左右側壁から前記規制部材の基端部に向けて一対の支持片が延設され、
該支持片の先端部間に前記規制部材の基端部が枢支され、前記規制部材および保持軸が一体的に、前記当止部材および支持片に対して傾動可能に支持され、
前記傾動により保持軸の先端を当止部材の当止壁から離すことで、該先端から前記装着部に止め輪を装着可能とした止め輪ホルダー。
【請求項５】
前記規制部材の保持軸の軸方向に沿った途中位置の左右少なくとも一方の側面に突出方向に付勢された位置決めピンを出没可能に設けるとともに、対応する前記支持片に位置決めピンが係入する係合穴を設け、これら位置決めピンと係合穴は、前記係入した状態で前記保持軸の先端が当止部材の当止壁に対面することとなる位置にそれぞれ設けられる請求項４記載の止め輪ホルダー。